(57)【特許請求の範囲】
【請求項１】
バーナを内蔵する燃焼筐と、燃焼筐の外壁板のバーナより上方の部分の内面を覆って外壁板との間に冷却用空気を流す空気通路を画成する遮熱板とを備える燃焼装置であって、燃焼筐内に、前後方向に長手のバーナが横方向に並べて複数並設されるものにおいて、
燃焼筐の前面と後面の各外壁板の内面を覆う前側と後側の各遮熱板のバーナより上方に位置する部分の上下方向中間部に、燃焼筐の前面と後面の各外壁板側に屈曲する段部が設けられて、この段部に、空気通路から冷却用空気が噴出する通気孔が形成され、
前側と後側の各遮熱板の段部よりも上方部分は、上方に向かって燃焼筐の前面と後面の各外壁板から離隔する方向に傾斜し、
前側と後側の各遮熱板の下端の高さはバーナの上端より低く、これら各遮熱板の下端に、燃焼筐の前面と後面の各外壁板から離隔する方向に屈曲する庇部が形成され、この庇部に、各バーナの前後の各端部が係合する切欠きと、空気が上方に噴出する噴出孔とが形成されることを特徴とする燃焼装置。
【発明の詳細な説明】
【技術分野】
【０００１】
本発明は、バーナを内蔵する燃焼筐と、燃焼筐の外壁板のバーナより上方の部分の内面を覆って外壁板との間に冷却用空気を流す空気通路を画成する遮熱板とを備える燃焼装置に関する。
【背景技術】
【０００２】
従来、この種の燃焼装置として、遮熱板の上端に外壁板側に屈曲する屈曲部を設け、この屈曲部に、外壁板と遮熱板との間の空気通路から冷却用空気が抜け出る通気孔を形成したものが知られている（例えば、特許文献１参照）。このものでは、空気通路に遮熱板の上端に亘って冷却用空気が流れ、外壁板の耐熱性が確保される。
【０００３】
ところで、バーナの燃焼ガスは広がりながら上昇し、遮熱板の上部が燃焼ガスに晒される。そのため、上記従来例の如く遮熱板と外壁板との間の空気通路に遮熱板の上端に亘って冷却用空気を流すことで、外壁板の過熱は防止できても、燃焼ガスに晒される遮熱板の上部の過熱は防止できなくなる。
【先行技術文献】
【特許文献】
【０００４】
【特許文献１】特開２００５−６９６４０号公報
【発明の概要】
【発明が解決しようとする課題】
【０００５】
本発明は、以上の点に鑑み、遮熱板の上部の過熱を抑制して、遮熱板を含む燃焼筐全体の耐熱性を向上できるようにした燃焼装置を提供することをその課題としている。
【課題を解決するための手段】
【０００６】
上記課題を解決するために、本発明は、バーナを内蔵する燃焼筐と、燃焼筐の外壁板のバーナより上方の部分の内面を覆って外壁板との間に冷却用空気を流す空気通路を画成する遮熱板とを備える燃焼装置であって、燃焼筐内に、前後方向に長手のバーナが横方向に並べて複数並設されるものにおいて、燃焼筐の前面と後面の各外壁板の内面を覆う前側と後側の各遮熱板のバーナより上方に位置する部分の上下方向中間部に、燃焼筐の前面と後面の各外壁板側に屈曲する段部が設けられて、この段部に、空気通路から冷却用空気が噴出する通気孔が形成され、前側と後側の各遮熱板の段部よりも上方部分は、上方に向かって燃焼筐の前面と後面の各外壁板から離隔する方向に傾斜し、前側と後側の各遮熱板の下端の高さはバーナの上端より低く、これら各遮熱板の下端に、燃焼筐の前面と後面の各外壁板から離隔する方向に屈曲する庇部が形成され、この庇部に、各バーナの前後の各端部が係合する切欠きと、空気が上方に噴出する噴出孔とが形成されることを特徴とする。
【０００７】
本発明によれば、遮熱板のバーナより上方に位置する部分の上下方向中間の段部に形成した通気孔から噴出する冷却用空気が傾斜した遮熱板の上部内面に確実に接触して上方に流れる。そして、この空気流により、遮熱板の上部に燃焼ガスが触れることを防止するエアカーテンが形成される。従って、燃焼ガスによる遮熱板の上部の過熱を抑制して、遮熱板を含む燃焼筐全体の耐熱性を向上できる。
また、本発明によれば、庇部の切欠きに各バーナの前後の端部を係合させることで、各バーナを横方向に位置決めでき、更に、庇部の噴出孔から噴出する空気が庇部の上方の遮熱板の内面に沿って上方に流れ、遮熱板の前記段部より下方部分を効果的に冷却できる。
【図面の簡単な説明】
【０００８】
【図１】本発明の実施形態の燃焼装置の斜視図。
【図２】図１のＩＩ−ＩＩ線で切断した燃焼装置の断面図。
【図３】図２のＩＩＩ−ＩＩＩ線で切断した燃焼装置の切断側面図。
【図４】実施形態の燃焼装置の前側の遮熱板の斜視図。
【図５】実施形態の燃焼装置の後側の遮熱板の斜視図。
【発明を実施するための形態】
【０００９】
図１乃至図３を参照して、１は、給湯用熱源機から成る燃焼装置を構成する燃焼筐を示している。燃焼筐１の上面は開放されており、燃焼筐１の上に被加熱物として図示省略した給湯用熱交換器が設置される。燃焼筐１内には、燃焼筐１内の空間を燃焼室２とその下側の給気室３とに仕切る仕切り板４が設けられている。燃焼室２内には、上端に混合気（燃料ガスと一次空気との混合ガス）を噴出する多数の炎口５１を有する前後方向に長手のバーナ５が横方向に並べて複数並設されている。
【００１０】
給気室３の底面には図外の燃焼ファンが接続されており、燃焼ファンから給気室３に空気が供給される。仕切り板４には、多数の分布孔４１が形成されており、給気室３に供給された空気がこれら分布孔４１を介して燃焼室２に二次空気として供給されるようにしている。
【００１１】
また、仕切り板４の前端には、上方に屈曲する起立板部４２と、起立板部４２の上端から前方に屈曲して燃焼筐１の前面の外壁板１１に達する上板部４３とが設けられている。そして、給気室３の前端部に、起立板部４２の前側で上板部４３に達するように立上る一次空気室３１が設けられる。起立板部４２には、各バーナ５の下部の混合管部５２の上流端を臨ませる各流入口４４が形成され、一次空気室３１の前面は、ガスマニホールド６で閉塞される。ガスマニホールド６には、各流入口４４に対向する各ノズル６１が設けられており、各流入口４４、即ち、各バーナ５に各ノズル６１から燃料ガスが供給されると共に一次空気室３１から一次空気が供給される。また、燃焼筐１の前面の外壁板１１には、フレームロッド７と点火電極８と覗き窓９とが配置されている。尚、図１ではガスマニホールド６が省略されている。
【００１２】
ここで、燃焼筐１のバーナ５よりも上方の外壁板部分はバーナ５の燃焼で強く加熱される。そこで、燃焼筐１の耐熱性を確保するために、燃焼筐１の前面の外壁板１１、後面の外壁板１２及び左右各側面の外壁板１３のバーナ５上端よりも上方の部分の内面を隙間を存して覆う前側と後側と左右各側の遮熱板１４、１５、１６を設けている。そして、前面の外壁板１１と前側の遮熱板１４との間に、仕切り板４の上板部４３に形成した透孔４５を介して一次空気室３１から上昇する空気を冷却用空気として流す空気通路１４ａを画成すると共に、後面の外壁板１２と後側の遮熱板１５との間にも、給気室３から仕切り板４の後部の分布孔４１を介して上昇する空気を冷却用空気として流す空気通路１５ａを画成している。
【００１３】
尚、前側と後側の遮熱板１４、１５の下端の高さはバーナ５上端よりも若干低くなっており、これら遮熱板１４、１５の下端に、前後の各外壁板１１，１２から離隔する方向（前側の遮熱板１４では後方、後側の遮熱板１５では前方）に屈曲する庇部１４１、１５１を形成している。そして、図４、図５に示す如く、これら各庇部１４１、１５１に各バーナ５の上部の前後の各端部が係合する切欠き１４２、１５２を形成して、各バーナ５が横方向に位置決めされるようにしている。
【００１４】
各庇部１４１、１５１には、更に、空気が噴出する噴出孔１４５、１５５が形成されており、噴出孔１４５、１５５から噴出する空気が庇部１４１、１５１の上方の遮熱板１４、１５の内面に沿って上方に流れ、この空気流により遮熱板１４、１５が効果的に冷却されるようにしている。尚、噴出孔１４５、１５５は、庇部１４１、１５１の前後方向外方寄りの部分に、切欠き１４２、１５２に連続して形成され、更に、前側の遮熱板１４の庇部１４１には、隣接する切欠き１４２、１４２間に位置させて、小径の第２の噴出孔１４５´が形成されている。
【００１５】
また、仕切り板４の上板部４３に形成した透孔４５から噴出する空気の一部が上板部４３の後上方の燃焼室２の部分に流れてしまうと冷却不足を生ずる。そこで、前側の遮熱板１４の庇部１４１の後端に、隣接するバーナ５、５間に位置させて、下方に屈曲する垂下板部１４６を曲成している。そして、庇部１４１と仕切り板４の上板部４３との間の空間が垂下板部１４６により燃焼室２から仕切られ、この空間に透孔４５を介して一次空気室３１から空気が流入するようにしている。これによれば、透孔４５から噴出する空気が上板部４３の後上方の燃焼室２の部分に流れることを垂下板部１４６により防止して、冷却不足を解消できる。
【００１６】
ところで、バーナ５の燃焼ガスは前後方向に広がりながら上昇し、前側と後側の各遮熱板１４，１５の上部に燃焼ガスが触れて、各遮熱板１４，１５の上部の過熱を生じやすくなる。そこで、本実施形態では、前側と後側の各遮熱板１４，１５のバーナ５より上方に位置する部分の上下方向中間部に、前後の各外壁板１１，１２側に屈曲する段部１４３，１５３を設けて、この段部１４３，１５３に、各空気通路１４ａ，１５ａから冷却用空気が噴出する通気孔１４４、１５４を形成している。更に、各遮熱板１４、１５の段部１４３，１５３よりも上方部分を、上方に向かって各外壁板１１，１２から離隔する方向に傾斜させている。
【００１７】
これによれば、通気孔１４４，１５４から噴出する冷却用空気が傾斜した遮熱板１４，１５の上部内面に確実に接触して上方に流れる。そして、この空気流により、遮熱板１４，１５の上部に燃焼ガスが触れることを防止するエアカーテンが形成される。従って、燃焼ガスによる遮熱板１４，１５の上部の過熱を抑制して、遮熱板１４，１５を含む燃焼筐１全体の耐熱性を可及的に向上できる。
【００１８】
また、遮熱板１４，１５の上部を上記の如く傾斜させると、燃焼ガスの前後方向の広がりが抑制される。そのため、燃焼筐１上に配置する熱交換器の胴部の前後方向寸法を燃焼筐１の前後方向寸法よりある程度小さくしても、胴部内面への燃焼ガスの接触が抑制され、胴部の過熱を生じない。従って、熱交換器をダウンサイジングしてコストダウンを図ることができる。
【００１９】
以上、本発明の実施形態について図面を参照して説明したが、本発明はこれに限定されない。例えば、上記実施形態は、給湯用熱源機から成る燃焼装置に本発明を適用したものであるが、給湯用熱源機以外の燃焼装置にも同様に本発明を適用できる。
【符号の説明】
【００２０】
１…燃焼筐、１１，１２…外壁板、１４，１５…遮熱板、１４ａ，１５ａ…空気通路、１４３，１５３…段部、１４４，１５４…通気孔、５…バーナ。
【図１】
0006497731.tif 000002
【図２】
0006497731.tif 000003
【図３】
0006497731.tif 000004
【図４】
0006497731.tif 000005
【図５】
0006497731.tif 000006